(57)【特許請求の範囲】
【請求項１】
地面に縦穴を掘削し、該縦穴内に管杭を埋入し、該管杭内に中込め砕石又は中込めコンクリートを充填して管内基礎を形成し、該管杭内に主柱の下端部を遊挿して上記管内基礎に支持せしめ、更に該主柱の下端部と管杭内周面間に中込コンクリートを充填して成る地面立設主柱の基礎構造において、上記縦穴内に管杭を環状間隔を存して埋入し、該環状間隔内に水締め砂を充填して管杭を支持し、更に上記縦穴上端の浅い拡口穴内に上記主柱を根固めする根巻きコンクリートを打設し、該根巻コンクリートにて上記管杭の上端開口面と上記環状間隔の上端開口面を隠蔽する構成としたことを特徴とする地面立設主柱の基礎構造。
【請求項２】
地面に縦穴を掘削し、該縦穴内に管杭を埋入し、該管杭内に中込め砕石又は中込めコンクリートを充填して管内基礎を形成し、該管杭内に主柱の下端部を遊挿して上記管内基礎に支持せしめ、更に該主柱の下端部と管杭内周面間に中込めコンクリートを充填して成る地面立設主柱の基礎構造において、上記縦穴内に管杭を環状間隔を存して埋入し、該環状間隔内に水締め砂を充填して管杭を支持し、更に上記管杭開口面を横断し且つ両端を管杭上端面に溶接又は螺子止めした両持ち支持バーを設け、該両持ち支持バーの上記横断部を上記主柱の側面に溶接又は螺子止めし、更に上記縦穴上端の浅い拡口穴内に上記主柱を根固めする根巻きコンクリートを打設し、該根巻きコンクリートにて上記両持ち支持バーを埋設すると共に上記管杭の上端開口面と上記環状間隔の上端開口面を隠蔽する構成としたことを特徴とする地面立設主柱の基礎構造。
【発明の詳細な説明】
【０００１】
【発明の属する技術分野】
本発明は交通標識や看板を掲示するための主柱、或いはゴルフ練習場等のネットを張るための主柱等、地面に立設する主柱の基礎構造に関する。
【０００２】
【従来の技術】
特許文献１においては地面に縦穴を掘削し、該縦穴内に管杭を埋入し、該管杭内に中込め砕石又は中込めコンクリートを充填して管内基礎を形成し、該管杭内に主柱の下端部を遊挿して上記管内基礎に支持せしめ、更に該主柱の下端部と管杭内周面間に中込めコンクリートを充填して成る地面立設主柱の基礎構造を開示している。
【０００３】
【特許文献１】
特公平３−２８５４０号公報
【０００４】
【発明が解決しようとする課題】
然るに上記特許文献１に示す地面立設主柱の基礎構造においては、主柱を縦穴の内周面で直接拘束する構造を採っているが、縦穴が傾斜して掘削されると、これに応じて管杭も傾いて立設され、主柱の直立に支障を来す恐れを有している。
【０００５】
又縦穴を画成する地盤強度は現場に応じて様々であり、地盤による管杭並びに主柱支持強度に信頼性を欠き、縦穴内周面が部分的に崩れ落ちて巣を生成する問題を有している。
【０００６】
又主柱の立設強度は中込めコンクリートと根巻きコンクリート（嵩上げモルタル）にのみ依存しており、コンクリートの経年劣化、或いはコンクリート打設後に主柱とコンクリートの界面に間隙が生成され、主柱立設強度を損なう問題点を有している。
【０００７】
【課題を解決するための手段】
本発明は上記問題点を適切に解決する地面立設主柱の基礎構造を提供する。
【０００８】
この地面立設主柱の基礎構造は地面に縦穴を掘削し、該縦穴内に管杭を埋入し、該管杭内に中込め砕石又は中込めコンクリートを充填して管内基礎を形成し、該管杭内に主柱の下端部を遊挿して上記管内基礎に支持せしめ、更に該主柱の下端部と管杭内周面間に中込めコンクリートを充填して成る地面立設主柱の基礎構造であって、上記管杭外周面と縦穴内周面間に環状間隔を形成し、該環状間隔内に水締め砂を充填して管杭を確固に支持し、ひいては支柱を安定に支持する。
【０００９】
更に上記縦穴上端の浅い拡口穴内に上記主柱を根固めする根巻きコンクリートを打設し、該根巻きコンクリートにて上記管杭の上端開口面と上記環状間隔の上端開口面を隠蔽する構造を採る。
【００１０】
上記地面立設主柱の基礎構造は上記水締め砂により地盤構造に拘わらず管杭の埋設強度の信頼性を確保し、且つ管杭の垂直性を可及的に保証する。
【００１１】
又他例として上記管杭外周面と縦穴内周面間の環状間隔内に水締め砂を充填して管杭を支持する構造を採りながら、上記管杭開口面を横断し且つ両端を管杭上端面に溶接又は螺子止めした両持ち支持バーを設け、該両持ち支持バーの上記横断部を上記主柱の側面に溶接又は螺子止めして主柱を管杭に強固に支持する。
【００１２】
更に上記縦穴上端の浅い拡口穴内に上記主柱を根固めする根巻きコンクリートを打設し、該根巻きコンクリートにて上記両持ち支持バーを埋設すると共に上記管杭の上端開口面と上記環状間隔の上端開口面を隠蔽する構造を採る。
【００１３】
上記地面立設主柱の基礎構造は前記例示と同様、上記水締め砂により地盤構造に拘わらず管杭の埋設強度の信頼性を確保し、且つ管杭の垂直性を可及的に保証すると同時に、上記両持ち支持バーにより、中込めコンクリートや根巻きコンクリートと協働して主柱の立設強度と垂直性を確保する。
【００１４】
【発明の実施の形態】
以下本発明に係る地面立設主柱の基礎構造を図１乃至図１０に示した工程（工法）に基づいて詳述する。
【００１５】
図１に示すように、地面に拡口穴１を根切りし、所謂根切り穴を掘削する。地盤がコンクリートやアスファルトで舗装されている場合には、この舗装を方形等にカッティングして除去して上記拡口穴１を形成し、該拡口穴１内に地盤を露出せしめる。更地である場合には地盤表層部を方形等に掘削し、上記拡口穴１を形成する。
【００１６】
次に図２に示すように、シャフトの周面に螺旋掘削フィンを備えた掘削装置、所謂オーガー２を用い、上記拡口穴１の略中心部に縦穴３を所要の深さに掘削する。
【００１７】
次に図３に示すように、上記縦穴３の内底部に底込め砕石４を投入して底基礎５を形成する。
【００１８】
次に図４に示すように、上記縦穴３内に管杭６を遊埋入してその下端面を上記底基礎５上に支持せしめ、上記管杭６の外周面と縦穴３の内周面間に環状間隔７を形成する。即ち上記縦穴３内に管杭６を環状間隔７を存して埋入する。
【００１９】
上記管杭６は両端が開放された貫通管腔を有する管杭であり、コンクリート管杭又は鋼管杭から成る。
【００２０】
上記管杭６は図４に示すように、その下端面を底基礎５上に支持しつつ、その上端部を縦穴３の開口面から拡口穴１内へ突出せしめる。又は管杭６の下端面を底基礎５上に支持しつつ、その上端面を縦穴３の開口面と略同一レベルに埋設する。
【００２１】
次に図５に示すように、上記管杭６の外周面と縦穴３の内周面間の環状間隔７に砂を水締めしつつ充填する。８はこの水締め砂を示す。
【００２２】
上記水締め時に縦穴３の内周面の崩壊を防止し且つ管杭６内に水が注入されないようにすることが肝要であり、その手段として例えば、上記管杭６の上端開口面を蓋９で覆い、該蓋９上に砂、好ましくは山砂を盛り上げ、該盛り上げ砂８′を水道に接続したホース１０から放出した水２２で崩しつつ、管杭６の外周面に沿って上記環状間隔７内への砂８を流し込み充填する。
【００２３】
上記水締め砂８はその水分が底基礎５内へ浸透しつつ逃がされ、固く砂締め、所謂水締めされる。この水締め砂はその下端が底基礎５上に支持され、同上端面が縦穴３の開口面と略同一レベルになるまで充填する。
【００２４】
次に図６に示すように、上記蓋９を取り除き、管杭６内の途中まで中込め砕石１１を充填して上記底基礎５上に積層し、管内基礎１２を形成する。
【００２５】
上記管内基礎１２は中込め砕石１１に代え、中込めコンクリートを管杭６内へ充填して形成できる。
【００２６】
次に図７に示すように、上記管内基礎１２を形成した管杭６内に角柱又は円柱から成る主柱１３の下端部を遊挿して、その下端面を上記管内基礎１２の上面に支持させて直立し、主柱１３の下端部外周面と管杭６の上端内周間に環状間隔１５を形成する。
【００２７】
上記主柱１３は鋼管主柱又はコンクリート主柱であり、何れも既存のものであり、用途に応じ使い分ける。コンクリート主柱はその上端面にリング形の鋼製カバー２３を被嵌し、補強した構造を有する。
【００２８】
次に図８Ａに示すように、上記管杭６の上端開口面から主柱１３と管杭６間の環状間隔１５内へ楔１４を打ち込み、主柱１３の直立を保持する。該楔１４は主柱１３の周囲に略等間隔に複数打ち込み、主柱１３を管杭６の略中心部に支持する。
【００２９】
次に図９Ａに示すように、上記楔１４間を通して上記環状間隔１５内へ中込めコンクリート１６を充填し、主柱１３を支持する。この中込めコンクリート１６はその下端が上記管内基礎１２に達し、その上端面が管杭６の開口面と略同一レベル、又は同開口面直下に達するまで充填する。
【００３０】
次に図１０Ａに示すように、上記楔１４を取り除き、又は楔１４を残存し、上記拡口穴１内へ上記主柱１３を根固めする根巻きコンクリート１７を打設し、該根巻きコンクリート１７にて上記管杭６の上端面及び上端開口面と上記水締め砂８が充填された環状間隔７の上端開口面を隠蔽し、管杭６と一体化し且つ中込めコンクリートと一体化する。
【００３１】
前記の通り管杭６の上端を拡口穴１内へ突出する場合には、該管杭６の突出部１８の外周面と拡口穴１の内周面間に根巻きコンクリート１７を充填し、同突出部１８を該根巻きコンクリート１７内へ一体に埋設する。
【００３２】
次に図８Ｂ，Ｃと図９Ｂと図１０Ｂに基づき上記楔１４を用いない地面立設主柱の基礎構造について説明する。
【００３３】
図１乃至図７の工程は前記と同様であり、前記説明を援用する。即ち図７に基づき説明したように、主柱１３を管杭６内の基礎１２上に支持しつつ直立し、次に図８Ｂ，図８Ｃに示すように、上記管杭６の開口面を横断し且つ両端を管杭６の上端面に溶接１９又は螺子止めした両持ち支持バー２０を設け、該両持ち支持バー２０の上記横断部を上記主柱１３の側面に溶接２１して又は螺子止めして主柱１３を管杭６に強固に支持する。螺子止めとは何れもアンカー止めを包含する。以下同様である。
【００３４】
上記両持ち支持バー２０は、例えば角柱又は円柱から成る主柱１３の対向する側面に添えて二本並設し、上記各溶接１９，２１を施すか螺子止めする。
【００３５】
上記両持ち支持バー２０は鋼材から成るＬ形チャンネル（アングル鋼材）、又は鋼棒、鋼パイプ等を用いることができる。又上記管杭６が鋼管から成る場合には上記両持ち支持バー２０の溶接が可能であるが、コンクリート杭の場合には前記した通りの管杭上端面にリング形の鋼製カバーを被嵌したものを用い、該鋼製カバーに上記両持ち支持バー２０を溶接又は螺子止めする。又は鋼製カバーを有しないコンクリート杭の場合には螺子止めにて対処する。
【００３６】
よって上記管杭６の外周面と縦穴３の内周面間の環状間隔７内に水締め砂８を固く充填して管杭６を支持する構造と協働して、管杭６並びに主柱１３の支持強度と垂直性を確保する。
【００３７】
次に図９Ｂに示すように、上記両持ち支持バー２０間を通して上記環状間隔１５内へ中込めコンクリート１６を充填し、主柱１３を支持する。この中込めコンクリート１６はその下端が上記管内基礎１２へ達し、その上端面が管杭６の開口面と略同一レベル、又は同開口面直下に達するまで充填する。
【００３８】
次に図１０Ｂに示すように、上記縦穴３の上端の浅い拡口穴１内に上記主柱１３を根固めする根巻きコンクリート１７を打設し、該根巻きコンクリート１７内に上記両持ち支持バー２０を一体に埋設すると共に、同コンクリート１７にて上記管杭６の上記中込めコンクリート１６が充填された上端開口面と、上記水締め砂８が充填された環状間隔７の上端開口面を隠蔽し、管杭６と一体化し且つ中込めコンクリートと一体化する。
【００３９】
前記の通り管杭６の上端を拡口穴１内へ突出する場合には、該管杭６の突出部１８の外周面と拡口穴１の内周面間に根巻きコンクリート１７を充填し、同突出部１８を該根巻きコンクリート１７内へ一体に埋設する。上記拡口穴１内には鉄筋を組み筋し、鉄筋コンクリート構造としても良い。
【００４０】
上記コンクリートとはセメントと砂と砂利を混練したもの、或いは砂利を混入せずにセメントと砂を混練したモルタルを含む。
【００４１】
又上記中込めコンクリート１６と根巻きコンクリート１７は別々に打設するか、又は同時に打設する。
【００４２】
【発明の効果】
上記地面立設主柱の基礎構造によれば、上記水締め砂により地盤構造に拘わらず管杭の埋設強度の信頼性と、管杭の垂直性を可及的に確保できる。
【００４３】
又上記両持ち支持バーが上記水締め砂並びに中込めコンクリートや根巻きコンクリートと協働して、主柱の立設強度と垂直性を確保できる。
【図面の簡単な説明】
【図１】拡口穴の根切り工程を示す断面図。
【図２】縦穴の掘削工程を示す断面図。
【図３】上記縦穴内の底基礎の形成工程を示す断面図。
【図４】上記底基礎上に立設する管杭の縦穴内への埋入工程を示す断面図。
【図５】上記管杭周面の環状間隔内への水締め砂の充填工程を示す断面図。
【図６】上記管杭内に管内基礎を形成する工程を示す断面図。
【図７】上記管内基礎上に主柱を立設する工程を示す断面図。
【図８】Ａは上記主柱を楔にて支持する工程を示す断面図、Ｂは該楔を用いずに両持ち支持バーにて主柱を支持する工程を示す断面図、Ｃは該両持ち支持バーの平面図。
【図９】Ａは図８Ａにおける楔を通して管杭内へ中込めコンクリートを充填する工程を示す断面図、Ｂは図８Ｂにおける両持ち支持バーを通して管杭内へ中込めコンクリートを充填する工程を示す断面図。
【図１０】Ａは上記楔を用いた図９Ａにおける拡口穴内へ根巻きコンクリートを打設する工程を示す断面図、Ｂは上記両持ち支持バー用いた図９Ｂにおける拡口穴内へ根巻きコンクリートを打設する工程を示す断面図
【符号の説明】
１…拡口穴、２…オーガー、３…縦穴、４…底込め砕石、５…底基礎、６…管杭、７…環状間隔、８…水締め砂、８′…盛り上げ砂、９…蓋、１０…ホース、１１…中込め砕石、１２…管内基礎、１３…主柱、１４…楔、１５…環状間隔、１６…中込めコンクリート、１７…根巻きコンクリート、１８…突出部、１９…溶接、２０…両持ち支持バー、２１…溶接、２２…水、２３…鋼製カバー
【図１】
0003622963.tif 000002
【図２】
0003622963.tif 000003
【図３】
0003622963.tif 000004
【図４】
0003622963.tif 000005
【図５】
0003622963.tif 000006
【図６】
0003622963.tif 000007
【図７】
0003622963.tif 000008
【図８】
0003622963.tif 000009
【図９】
0003622963.tif 000010
【図１０】
0003622963.tif 000011